(57)【要約】  中芯（時には、フルーティングとも呼ばれる）に加えて、プレスコアが入れられた対向面を有する紙製品で製造されたボード製品を製造するためのシステムおよび方法。従来の段ボールは（少なくとも波形加工された中芯との組み立て前に）刻印されるスコア線を有さない１つ以上の対向面および交差波形加工された中芯を特徴とすることができる。このような従来のボード製品は、刻印された任意のスコア線が、基本的な波形加工された中芯をある方法で損傷させることであるため、劣る可能性がある。基本的な中芯の強度の低下は、最終的なボード製品にスコアが形成され、切断されて折り畳まれるときに精度が悪くなる。ボード製品を折り畳む場合の精度の欠乏は、ボード製品の任意の屈折部分が折り畳まれる際に屈折の精密な平面が保持できないため、ギャップ変動およびフィッシュテール現象をもたらす。【選択図】図５
2019514725.tif 000002
【特許請求の範囲】
【請求項１】
ボード製品であって、
対向面であって、任意の他の紙製品と組み合わせる前に、紙に刻印された複数のスコア線を有する対向面と、
複数のフルートを有するエンボス加工された中芯であって、前記複数のスコア線が、それぞれ前記複数フルートに対して位置合わせされるように、前記対向面に結合されるエンボス加工された中芯と、
を備えていることを特徴とするボード製品。
【請求項２】
前記エンボス加工された中芯に対して貼り付けられた第２の対向面をさらに備えていることを特徴とする、請求項１に記載のボード製品。
【請求項３】
前記第２の対向面は、任意の他の紙製品と組み合わせる前に、前記紙に刻印された複数のスコア線を備えていることを特徴とする、請求項２に記載のボード製品。
【請求項４】
前記紙の対向面に対して貼り付けられた第２の紙の中芯をさらに備えている、請求項１に記載のボード製品。
【請求項５】
前記エンボス加工された中芯が、さらに、直線状のエンボス加工がなされた中芯を備えている、請求項１に記載のボード製品。
【請求項６】
前記複数のスコア線は、それぞれのスコア線がそれぞれのフルートから等距離になるように前記複数のフルートと位置合わせされている、請求項１に記載のボード製品。
【請求項７】
前記複数のスコア線は、前記対向面の領域のすべてよりも小さい面積を有効面積とする、請求項１に記載のボード製品。
【請求項８】
前記複数のスコア線は、前記ボード製品が少なくとも１つのスコア線に対して垂直である平面内で精密に屈折されるように、前記複数のフルートとそれぞれ位置合わせされる、請求項１に記載のボード製品。
【請求項９】
ボード製造方法であって、
紙の対向面を任意の他の紙製品と組み合わせる前に、前記紙の対向面に第１の間隔で複数のスコア線からなるスコアを形成する工程と、
紙の中芯を第２の間隔で複数のフルートをエンボス加工する工程と、
第１の間隔のスコア線が第２の間隔のフルートに対してセットされるようにエンボス加工された中芯と紙の対向面とを組み合わせる工程と、
を備えている、ボード製造方法。
【請求項１０】
前記第１の間隔と前記第２の間隔とが等しく、互いに対してオフセットされている、請求項９に記載のボード製造方法。
【請求項１１】
前記第１の間隔が、前記第２の間隔の倍数である距離を含む、請求項９に記載のボード製造方法。
【請求項１２】
前記組み合わせる工程がさらに、前記エンボス加工された中芯を前記スコアが形成された対向面に接着する工程を含む、請求項９に記載のボード製造方法。
【請求項１３】
前記紙の対向面に第１の間隔で前記複数のスコア線からなるスコアを形成する工程がさらに、約５ミリメートル間隔でスコア線を刻印する工程を含む、請求項１２に記載のボード製造方法。
【請求項１４】
前記フルートがＣフルートの輪郭を示すようにエンボス加工される、請求項９に記載のボード製造方法。
【請求項１５】
前記紙の中芯を前記紙の対向面に接着する工程をさらに含む、請求項９に記載のボード製造方法。
【請求項１６】
前記紙の中芯に対して第２の紙の対向面を貼り付ける工程をさらに含む、請求項９に記載のボード製造方法。
【請求項１７】
前記エンボス加工する工程がさらに、第１の方向で対向する頂点部の構造の第１のセットと、前記第１の方向と反対の第２の方向で対向する頂点部の構造の第２のセットとをエンボス加工する工程をさらに含む、請求項９に記載のボード製造方法。
【請求項１８】
ボード製造装置であって、
紙の対向面に第１の間隔で少なくとも１つのスコア線を刻印するように構成されたスコア形成器と、
複数のフルートを第２の間隔で含むように紙製品をエンボス加工するように構成されたエンボス加工器と、
前記第１の間隔が前記第２の間隔に対して位置合わせされるように、エンボス加工された紙製品に紙の対向面を結合させるように構成されたコンバイナと、
を備えている、ボード製造装置。
【請求項１９】
前記スコア形成器および前記エンボス加工機に紙を供給するように構成された複数の供給ロールをさらに含む、請求項１８に記載のボード製造装置。
【請求項２０】
前記コンバイナが、さらに、組み合わされた紙の対向面およびエンボス紙製品の屈折が少なくとも１つのスコア線に対して精密な位置にバイアスされるように、少なくとも１つのスコア線を複数のフルートの１つまたは複数と位置合わせする、請求項１８に記載のボード製造装置。
【発明の詳細な説明】
【背景技術】
【０００１】
背景
現代の製紙技術は、製紙工場で抄紙機を使用してロール紙を製造し、それをボードメーカーがボード製品（即ち、段ボール）を製造するために使用することができる。その結果、連続的に作動する機械からロール紙を製造することができる。現代の抄紙機は、典型的には（他の繊維も使用してもよいが）、木材繊維を含む木材パルプをはじめとする多くの材料から紙を製造する。これらの繊維は、長く伸ばされて互いに隣接して位置合わせされることに適している傾向がある。繊維は、抄紙機のヘッドボックスから移動スクリーン上に供給されることのできるスラリーとしてはじまる。現代の抄紙機において、繊維は、互いに位置合わせされ、スクリーンが動く方向に整列する傾向がある。基本的な（ｕｎｄｅｒｌｙｉｎｇ、下層をなす）繊維の整列方向は紙の主方向と呼ばれ、機械方向と一致する。したがって、主方向は、しばしば単に機械方向（ＭＤ；ｍａｃｈｉｎｅ  ｄｉｒｅｃｔｉｏｎ、縦方向）と呼ばれ、製造される紙は関連するＭＤ値を有する。
【先行技術文献】
【特許文献】
【０００２】
【特許文献１】アメリカ合衆国特許出願第１５／０７７，２５０号
【発明の概要】
【発明が解決しようとする課題】
【０００３】
紙を使用してボード製品を製造する場合、ボード製品の部分または層が波形（ｃｏｒｒｕｇａｔｅｄ、段）となることができる。従来の波形加工機は、基本的な紙製品を紙の横方向（ＣＤ；ｃｒｏｓｓ  ｄｉｒｅｃｔｉｏｎ）に波形加工しており、そのため、機械方向への紙の自然強度のバイアス（ｎａｔｕｒａｌ  ｓｔｒｅｎｇｔｈ  ｂｉａｓ）を利用することができない。さらに、機械方向の紙のより大きな自然強度の品質は、ボード製造の解決策のなかで、交差波形加工技術（ｃｒｏｓｓ  ｃｏｒｒｕｇａｔｉｏｎ）によって利用されないままになっている。さらに、従来の波形の中芯（ｃｏｒｒｕｇａｔｅｄ  ｍｅｄｉｕｍ、波形の媒体）は、従来の１対の段ロールにおける突起の形状のために、正弦波形状を取るフルート（ｆｌｕｔｅ、段）を含む。その結果、通常のボード製品を製造する企業は、ボード製品の強度を制限する古い生産工程に固定されている。
【課題を解決するための手段】
【０００４】
特許請求の範囲の態様および多くの付随的な利点は、添付された図面と関連させると、以下の詳細な説明を参照してよりよく理解されることにより、より容易に認識されるであろう。
【図面の簡単な説明】
【０００５】
【図１Ａ】図１Ａは、１つの以上の対向面にスコア線の利点のない、主な屈折部の折り畳み前の両面段ボールの従来のボード製品の図である。
【図１Ｂ】図１Ｂは、１つの以上の対向面にスコア線の利点のない、主な屈折部の折り畳み後の両面段ボールの従来のボード製品の図である。
【図２Ａ】図２Ａは、ブランクを操作して容器とするように、細穴切断部および従来の刻印線を有するブランクの様々な状態を示す。
【図２Ｂ】図２Ｂは、ブランクを操作して容器とするように、細穴切断部および従来の刻印線を有するブランクの様々な状態を示す。
【図２Ｃ】図２Ｃは、ブランクを操作して容器とするように、細穴切断部および従来の刻印線を有するブランクの様々な状態を示す。
【０００６】
【図３】図３は、本明細書に開示される主題の１つ以上の実施形態による１つ以上のボード製品の一部であるスコアが入れられた対向面の等角断面図である。
【０００７】
【図４】図４は、本明細書に開示される主題の１つ以上の実施形態による１つ以上のボード製品の一部であるエンボス加工された中芯の等角断面図である。
【０００８】
【図５】図５は、本明細書に開示される主題の実施形態による図４の中芯および図３のスコアが入れられた対向面を有するボード製品の等角断面図である。
【０００９】
【図６Ａ】図６Ａは、本明細書に開示される主題の実施形態による１つ以上の対向面におけるスコア線の利点を有して屈折される図５のボード製品の一連の図である。
【図６Ｂ】図６Ｂは、本明細書に開示される主題の実施形態による１つ以上の対向面におけるスコア線の利点を有して屈折される図５のボード製品の一連の図である。
【図６Ｃ】図６Ｃは、本明細書に開示される主題の実施形態による１つ以上の対向面におけるスコア線の利点を有して屈折される図５のボード製品の一連の図である。
【００１０】
【図７】図７は、折り曲げられた図５のボード製品と折り曲げられた従来のボード製品を並列した比較の図である。
【００１１】
【図８Ａ】図８Ａは、本明細書に開示される主題の一実施形態による１つ以上の対向面における１つのスコア線の利点を有する屈折前のボード製品を示す。
【図８Ｂ】図８Ｂは、本明細書に開示される主題の一実施形態による１つ以上の対向面における１つのスコア線の利点を有する屈折後のボード製品を示す。
【００１２】
【図９】図９は、本明細書に開示される主題の実施形態による図３のボード製品を製造するために構成された装置の態様図である。
【発明を実施するための形態】
【００１３】
詳細な説明
以下の説明は、当業者が本明細書に開示される主題を製造して使用するように提示される。本明細書に記載された一般的な原理は、本発明の詳細な説明の精神および範囲を離れず、本明細書に上述したもの以外の実施形態および用途に適用され得る。本開示は、示された実施形態に限定されることを意図せず、本明細書に開示または提示された原理および特徴と一致する最も広い範囲が与えられる。
【００１４】
概要として、本明細書に開示される主題は、精密な屈折が誘導されるように中芯（時に、フルート（ｆｌｕｔｉｎｇ、フルーティング）と呼ばれる）に加えて、プレスコア（ｐｒｅ−ｓｃｏｒｅ、予め形成されたスコア、事前スコア）が入れられた対向面を有する紙製品で製造されたボード製品を製造するためのシステムおよび方法に関するものである。従来のボード製品は、交差する波形の中芯と、（少なくとも波形加工された中芯との組み立てよりも前に）刻印されたスコア線を有さない１つ以上の対向面（ｆａｃｉｎｇ、外装面）を特徴とすることができる。このような従来のボード製品は、刻印された任意のスコア線が、基本的な（ｕｎｄｅｒｌｙ，内在する、下層の）波形加工された中芯をある方法で損傷させるため、劣っている可能性がある。下層中芯の強度の低下は、最終ボード製品にスコアが形成され、切断されて折り畳まれるときに精度が悪くなる。折り畳み式容器における精度の欠乏は、ボード製品の任意の屈折部分が折り畳まれる際に屈折の精密な平面が保持できないため、ギャップ変動およびフィッシュテール現象（ｆｉｓｈｔａｉｌｉｎｇ）をもたらす。したがって、屈折部分は、整列した状態から外れて、「フィッシュテール現象」を起こす。
【００１５】
戦略的に配置されたスコア線（例えば、最終的な屈折点に対して、および／または取り付けられた中芯の基本的なフルートに対して、戦略的（ｓｔｒａｔｅｇｉｃａｌｌｙ、計画的）に配置される）を備えた、プレスコアが入れられた、対向面（時に、壁またはライナーと呼ばれる）を有することで、フィッシュテール現象の問題は解消される。これは、プレスコア線が、屈折される時に、スコア線で方向を変えるように対向面をバイアスするためである。その結果、対向面の折り目線がプレスコア線に沿って精密に位置合わせされ（所望するボックスコーナーパターンに位置合わせされた任意の折り畳みが形成される）、任意の基本的なフルートに対して精密に配置される（フルートパターンとも位置合わせされた任意の折り畳み部が形成される）。対向面におけるプレスコア線の効果は、従来の交差する波形の中芯と比較して、より大きな構造的特性を示すエンボス加工された中芯と組み合わせて使用すると、さらに向上される。本明細書に開示される主題の様々な実施形態におけるこれらの利点および追加の態様は、図１〜図８に関連して以下で説明される。
【００１６】
図１Ａおよび図１Ｂは、１つ以上の対向面において、スコア線の利点がない主な折り畳み部の屈折前後の従来のボード製品１００の図である。要約で簡単に説明したように、スコア線は、ボード製品の屈折が精密であるように、ボード屈折を支援するだろう。従来のボード製品１００の問題点を示すため、図１Ａおよび図１Ｂに示した後、最終的な容器に対する様々な問題点も図２Ｂおよび図２Ｃに示し、従来のボード製品１００の問題点の影響を例示する。従来のボード製品１００は、第１の対向面１０１および第２の対向面２０２に取り付けられたいかなる形態の中芯１０３を有してもよい。勿論、これらの対向面は、予め配置された任意のスコア線が存在しない。このように、確実に中芯１０３のフルートと整合するスコア線は存在しない。さらに、中芯１０３は、中芯１０３の紙の横方向（以下に、さらに説明される）に位置合わせされたフルートを有する従来の交差する波形の中芯であってもよい。
【００１７】
ボード製品が最終的に容器およびボックス用に使用される場合のように、ボード製品１００を明瞭にすることを所望する場合、装置は、屈折のために意図された（例えば、下層フルートに関係なく、コーナーまたは折り点で意図された）線でスコア線（時には、押し込み、刻印、または折り目線を誘導するための他の形のマーキング）を生成してもよい。したがって、図１Ｂを見ると、折り畳み部は、点１０４で意図されていてもよい。図示されたように、ボード製品１００は（この図においては、約１８０度で）、屈折されている。１８０度の折り畳み部は、度々、主な折り畳み部（ｍａｊｏｒ  ｆｏｌｄ）とも呼ばれ、折り畳みボックス用ブランクを生産するためのメーカーの要件である。ブランク（ｂｌａｎｋ、平板状段ボール）は、最終的に容器またはボックスに操作されるように製造された平坦な開放状態（図２Ａに示す）で折り畳まれていない容器である。従来の、規則的な細穴をつけた容器（ＲＳＣ）ブランクは、図２Ａ〜図２Ｃと関連して以下で説明される。
【００１８】
装置が、ブランクの製造においてボード製品に刻印（ｉｍｐｒｅｓｓｉｏｎ）を与えるとき、機械的な刻印カラー（ｉｍｐｒｅｓｓｉｏｎ  ｃｏｌｌａｒ）を使用して特定位置に折り目線を刻印してもよい。この配置は、ブランクの縁部と関連しており（例えば、一例として、ブランクの縁から３６インチ）；従来の方法においては、このような配置は、中芯の下層フルートと関連していない。結果的に、機械的な刻印カラーが折り目線を刻印すると、刻印領域内にある下層フルートがつぶれる。内側フルートをつぶすことにより、局部的に相当量のボード構造が損傷される。したがって、折り点１０４は、内側に曲がり始め、外側の折り点は、折り畳み部の周りにストレッチされ始める。２つの脚部がともに集まり始めるにつれ、折り畳み部の内側フルートが狭くなり始める。
【００１９】
図１Ｂは、完全に１８０度屈折された従来のボード製品を示す。第１の対向面１０１は、自ら同士接触するように半分に折り畳まれている。第２の対向面１０２は、１８０度折り点１０４周りの追加距離に対応するように地点１０４で十分にストレッチされる。図示したように、局部的フルートが著しく損傷されると、中芯１０３の内側フルーティングが構造を喪失する。さらに、第２の対向面１０２は、しばしば１８０度折り点１０４で破損されてもよい。このような破損は、地点１０４にてボード製品を著しく弱化させる。折り点１０４が１つ以上の対向面で可能な破損のみならず、中間構造における破損を引き起こすことによって、最終的な容器またはボックス製品で追加の望ましくない変動が生じるだろう。このような望ましくない変動は、図２Ａ〜図２Ｃと関連して、次に説明される。
【００２０】
図２Ａ〜図２Ｃに、ブランク１０５を操作して容器とするよう、細穴１０６切断部および従来の刻印線１０８ｂ、１０８ｃ、１０８ｄおよび１０８ｅを有するブランク１０５の様々な状態を示す。図２Ａにおいては、ブランク１０５が図示されており、ここでボード製品は細穴（ｓｌｏｔ）および刻印線のような所望する特徴部を有するように変更されていてもよい。したがって、ボード製品は、最終的な折り目線１０８ｂ、１０８ｃ、１０８ｄおよび１０８ｅに沿って切断された１対の細穴１０６を有していてもよい。細穴１０６は、意図された目的のために精密に位置合わせされ、寸法決定されるべきであり、図２Ａに示した寸法は、平坦なブランク１０５の一例として例示することに過ぎない。ブランクのエンドユーザに対する典型的な要件として、最も左側のパネル１０７ａは、（折り目線１０８ｂで）１８０度折り畳まれてパネル１０７ｂの上部に平らになってもよい。このような１８０度折り畳む部分は、主な折り畳み部と呼ばれる。同様に、最も右側パネル１０７ｄは、（折り目線１０８ｄで）１８０度折り畳まれてパネル１０７ｃの上部に平らになってもよい。一旦折り畳まれると、ブランク１０５の段部１０８ａおよび１０８ｅは、縁部１０８ａが接着剤ラップ１０９に接着できるように重合し、配置された接着剤ラップ１０９と互いに隣接して配置されてもよい。精密に位置合わせされるとき、縁部１０８ａは、縁部１０８ａと１０８ｅとの間の距離がブランク１０５内の他の細穴１０６と同一の幅になるように、縁部１０８ｅに隣接して配置される。
【００２１】
このように屈折が行われると、組み立て式（ｋｎｏｃｋ−ｄｏｗｎ）容器用のブランク１０５は、ブランクからボックスまたは容器を組み立てるために装置に供給されるように折り畳まれた状態にあってもよい。このような屈折は、ボックスまたは容器に組み立てる前に、得られた完成型（ｋｎｏｃｋ−ｏｕｔ）容器用のブランク１０５を包装および船積するのに有用である。このような屈折を、従来のボード製品で遂行すると、しばしば図２Ｂ〜図２Ｃに示すような望ましくない変動をもたらす。
【００２２】
第１の望ましくない変動は、図２Ｂに示されており、ギャップ変動（ｇａｐ  ｖａｒｉａｔｉｏｎ、間隙変動）と称される。接着剤ラップ（ｇｌｕｅ  ｌａｐ）１０９がパネル１０７ａに接着されるとき、他の細穴の幅と同一のギャップを示すように、縁部１０８ａおよび１０８ｅが各々に隣接して精密に位置合わせされないと、ギャップ変動が生じる可能性がある。折り目線１０８ｂおよび１０８ｄにおける主な折り畳み部が内側に巻かれる場合、ギャップが狭すぎる可能性があり、折り目線１０８ｂおよび１０８ｄで主な折り畳み部が内側に巻かれる場合、広すぎる可能性がある。この図においては、パネル１０７ａは、主な折り目線１０８ｂに沿って１８０度屈折され、パネル１０７ｄは、主な折り目１０８ｄに沿って１８０度屈折されているということが分かる。しかしながら、接着剤ラップ１０９は、パネル１０７ａと大きく重ならず、縁部１０８ａおよび１０８ｅは、離れすぎている。精密な重なりがないと、接着剤ラップ１０９を有する縁部１０８ａおよび１０８ｅは、互いに適切に接着される位置にないことがあり得る。このようなギャップ変動は、折り目線で精度が不足するため、損傷された主な折り目線１０８ｂおよび１０８ｄによって引き起こされてもよい。図に示されていないまた他の変動は、縁部１０８ａおよび１０８ｅが近すぎるか、重合される場合に起こり得る。ギャップ変動は、接着剤ラップが重なりすぎているか、十分に重ならない（または著しく重ならない）ことを特徴づけられる可能性がアリ、完成された容器に望ましくない問題を引き起こす可変性を持つ。
【００２３】
第２の望まない変動は、図２Ｃに示されており「フィッシュテール現象」と呼ばれる。フィッシュテール現象は、折り畳まれた部分の１つ以上のパネルが、他のパネルと平行にならない場合に生じる。図２Ｃに示す例においては、パネル１０７ａは、パネル１０７ｄと平行にならない。このように、縁部１０８ａはまた縁部１０８ｅと平行にならず、接着剤ラップは、パネル１０７ａと正確に連結しない。ここで、主な折り畳み部１０８ｂは、十分に正確である可能性があるが、主な折り畳み部１０８ｄが、精密でなく位置合わせされないため、フィッシュテール現象が起こり、折り畳まれたオーバーパネル１０７ｄをもたらす。その結果、ＲＳＣブランクをボックスおよび容器に組み立てるセットアップ装置に問題が生ずる。
【００２４】
図２Ａおよび図２Ｃに示される問題点は、典型的には、中芯内の基本的なフルートの位置に関係せず、従来のボード製品をスコア加工して折り畳むことによって生ずる。さらに、組み立て後のスコア加工（例えば、ボード製品が組み立てられた後に生じるスコア加工）は、側部のフルートが部分的に、または完全につぶされてフルートが所望する折り畳み部の位置の両側の折り目線に沿って追跡することを防止するために、フルートに損傷を引き起こす。これは、ボード／ボックス強度を低下させるのみならず、不規則な折り畳み（ローリングスコア）の可能性が生じ、製造業者が接合部で検出することになるギャップ変動をもたらす。これらの問題および他の問題は、対向面をプレスコア加工した後、中芯の下層フルートに整合するスコア線でボード製品を組み立てて克服する事が可能である。
【００２５】
様々な実施形態を説明する前に、交差波形加工および直線状のエンボス加工に対する簡単な説明が提示される。上記で簡略に述べたように、従来のボード製品は、日常的に製造された波形加工された中芯（時に、波形加工されたフルーティング（ｃｏｒｒｕｇａｔｅｄ  ｆｌｕｔｉｎｇ、波形フルート）と呼ばれる）、例えば、交差する波形の中芯を含む。交差する波形の中芯は、紙製品の最も基本的な繊維に垂直に形成されたフルートを有する。これは、基本的な繊維の大部分と整列していないため、したがって、（ＣＤ値と比べた場合）紙のＭＤ値の自然的強度を利用しないフルートを生ずる。紙のＭＤ値を利用することのこのような失敗は、特定のボード強度が達成されるべき場合の、ボード製品を製造するときの機会喪失をもたらす。すなわち、必要なボード強度を達成するためには、必然的により多くの紙（より重い紙、より大きなフルートなど）を利用することになる。
【００２６】
直線状のエンボス加工された中芯は、導びかれたフルートが紙製品のＭＤ値と整列しているという点で交差する波形の中芯とは異なる。これは、大部分の基本的な繊維と位置合わせされている（ａｌｉｇｎ、同一方向となる）ため、（ＣＤ値と比べた場合）紙のＭＤ値の自然的強度を利用するフルートを生ずる。紙のＭＤ値を利用すると、特定のボード強度を達成するときにボード製品の製造において効率性をもたらす。すなわち、必要なボード強度を達成するため、必然的に少ない量の紙（より軽い紙、より小さなフルートなど）を利用するであろう。直線状のエンボス加工された中芯を製造、生産および使用する態様は、「機械方向に対してエンボス加工することによって、紙製品でフルーティングを誘導するためのシステムおよび方法（ＳＹＳＴＥＭ  ＡＮＤ  ＭＥＴＨＯＤ  ＦＯＲ  ＩＮＤＵＣＩＮＧ  ＦＬＵＴＩＮＧ  ＩＮ  Ａ  ＰＡＰＥＲ  ＰＲＯＤＵＣＴ  ＢＹ  ＥＭＢＯＳＳＩＮＧ  ＷＩＴＨ  ＲＥＳＰＥＣＴ  ＴＯ  ＭＡＣＨＩＮＥ  ＤＩＲＥＣＴＩＯＮ）」と題する２０１６年０３月２２日付で出願された米国特許出願第１５／０７７，２５０号に詳細に記載されており、その全文は、すべての目的のために本明細書に参考として組み込まれる。直線状のエンボス加工された中芯の一部の様相は、図４と関連して以下で説明する。次いで、プレスコアライナの様相は、図３と関連して説明する。
【００２７】
図３は、本明細書に開示される主題の１つ以上の実施形態による１つ以上のボード製品の一部となることのできる、スコアが入れられた対向面１１０の等角断面図である。この実施形態においては、ＭＤ方向１２２にＭＤ値を有し、ボード製品の対向面に一般的に使用される重量および材料を有する対向面を、生成することができる。ボード製品のこのような層は、しばしば、ボード製品の最も内側の部分のため、対向面１１０は、時に、ライナーまたは壁と呼ばれてもよい。簡略化して説明したように、対向面１１０は、しばしば特定の線に沿って屈折を誘導するために、スコア加工を行ってもよい。しかし、対向面がすでにボード製品の１つ以上の追加の層（例えば、波形加工された中芯、エンボス加工された中芯および他の対向面など）と結合されている場合、スコア加工工程は、対向面１１０に刻印を残すのみならず、ボード製品内の任意の他の層にも刻印を残すことがある。図２Ｂ〜図２Ｃに示すように、このような組み立て後のスコア加工は、ボード製品の追加の層の望ましくない変動および構造的損傷をもたらし、次いで屈折点でボード製品を著しく弱化させる。
【００２８】
しかしながら、対向面１１０について、任意の他の紙製品（例えば、ボード製品の任意の他の層）と組み合わされる前にスコア線１１５が対向面１１０に刻印されるように、図３の実施形態は、事前のプレスコア加工工程を経た対向面１１０とすることができる。図３に示す実施形態においては、プレスコア線１１５は、互いに対して等距離であり、類似した特定のピッチ寸法のフルートを有する最終的にエンボス加工された中芯（図３には図示せず）と位置合わせするように戦略的に間隔をあけていてもよい。さらに、スコア線は、対向面１１０への連続的な刻印であってもよい。しかしながら、「スコア」線は、下層フルートと関連し、戦略的に配置されているボード製品の所望する折り畳み点における対向面１１０の任意の局部的な弱化した地点であってもよい。他の実施形態においては、スコアは、折り畳み目の刻印（連続線形または断続）、対向面１１０を通じる部分スリット（連続線形または断続）、対向面１１０における穿孔などであってもよい。
【００２９】
図示されていない他の実施形態においては、プレスコア線１１５は、対向面１１０にわたって一致するよりも、より少なくてもよい。例えば、２つのスコア線１１５は、互いに約５ｍｍ間隔で離れて、共にグループ化され、次いでこれら５ｍｍ間隔のスコア線中、２つの異なるグループから距離をあけていてもよい。さらに別の実施形態においては、スコアの単一グループのみが対向面または単一スコア線に存在してもよい。一例として、５ｍｍ間隔が与えられるが、任意の間隔の幅が可能であり、共通の間隔は、Ｃフルート、Ｂフルート、Ｒフルートなどのような共通のフルート輪郭と一致するだろう。これらのグループは、特定のボックス装置に対する予想される屈折点に対応してもよい。しかしながら、一貫した対向面１１０を効率的に製造する目的で、スコア線１１５は、戦略的に選択された間隔（例えば、５ｍｍ毎）でスコア加工装置によって刻印されてもよく、したがって、プレスコアが入れられた対向面１１０の任意の部分が最終ボード製品の他の層と組み合わされてもよい。図４のエンボス加工された中芯１３０は、このような追加層の１つであってもよい。
【００３０】
図４は、本明細書に開示される主題の１つ以上の実施形態による１つ以上のボード製品の一部であり得るエンボス加工された中芯１３０の等角断面図である。この図面は、エンボス加工工程から形成され得るエンボス加工された中芯１３０の一部の等角図を示す。すなわち、フルート１３１は、直線状のエンボス加工技術を用いて初期用の紙製品をエンボス加工用ロールに通過させることによって形成され、したがって、フルート１３１が紙の基本的な繊維１２５の大部分と合致するように形成される。フルート１３１はまた、機械方向１２２と合致するように形成される。直線状のエンボス加工された中芯１３０は、フルート１３１が紙の機械方向１２２に（例えば、基本的な繊維１２５の大部分と合致するように）形成されるために機械方向１２２で紙の自然的強度を利用する。したがって、直線状のエンボス加工された中芯１３０は、機械方向１２２で紙の自然的強度を用いる。このようなエンボス加工された中芯１３０は、図５と関連して後述するように、ボード製品の構成要素／層であってもよい。
【００３１】
さらに、図４に示すように、フルート１３１は、切断面からみると、三角形のパターンを形成してもよい。三角形の繰返し形状を有するこのようなフルートパターンをフルート輪郭(ｆｌｕｔｅ  ｐｒｏｆｉｌｅ、フルート断面)と称する。このようなフルート輪郭は、曲線状または正弦波状の輪郭を示すフルート輪郭と比べると、エンボス加工された中芯１３０の構造的妥当性の改善を提供する。このような曲線状または正弦波状のフルート輪郭は、従来の交差する波形加工された中芯において一般的である。したがって、図４に示すような三角形のフルート輪郭は、ボード強度および構造的妥当性と関連して波形加工された中芯よりも優れている。フルート輪郭は、対向面（図示せず）に接着されてもよい頂点部１３２を示す。上記の頂点部は、特定の距離（例えば、５ｍｍなど）で繰り返して間隔をあけていてもよい。次いで説明するように、図３の一致するプレスコアが入れられた対向面１１０に結合されると、エンボス加工された中芯１３０の頂点部１３２は、任意の得られるボード製品の精密で損傷が少ない屈折を生成するために所望する方式で精密に位置合わせされてもよい。
【００３２】
図５は、本明細書に開示される主題の実施形態による図４の中芯１３０および図１のスコアが入れられた対向面１１０を有するボード製品３００の等角側断面図である。この実施形態においては、ボード製品３００は、第１の対向面１１０、中芯１３０および第２の対向面１４０の３つの層を含む。図示されているように、第１の対向面１１０は、エンボス加工された中芯１３０の一面に結合された内壁（ボード製品３００の整列に対する上下方向基準が、任意的であるが）を形成してもよい。結合は、中芯１３０の上側の各フルートの頂点部に塗布された接着剤を通じて行われてもよく、したがって、対向面１１０は、接着剤が塗布される中芯１３０に接着される。他の実施形態においては、接着剤は、中芯１３０に結合される前に、対向面１１０の全体に塗布されてもよい。
【００３３】
同様に、第２の対向面１４０は、エンボス加工された中芯１３０の反対側面に結合された底面側の外壁（再び、上下方向の基準が任意的である）を形成してもよい。結合は、エンボス加工された中芯１３０の底面側の各フルートの頂点部に塗布された接着剤を通じて行われてもよく、したがって、対向面１４０は、接着剤が塗布されるエンボス加工された中芯１３０に接着される。他の実施形態においては、接着剤は、エンボス加工された中芯１３０に結合される前に、対向面１４０の全体に塗布されてもよい。
【００３４】
スコア線１１５はエンボス加工された中芯の基本的なフルート（ｕｎｄｅｒｅｌｙｉｎｇ  ｆｌｕｔｅ）の方向に位置合わせされる。スコア線およびフルートは、２つともにスコアが入れられた対向面１１０、対向面１４０、および中芯１３０内の基本的な紙の機械方向１２２と位置合わせされる。さらに、この実施形態においては、スコアが入れられた対向面１１０のスコア線１１５は、取り付けられるエンボス加工された中芯の各頂点部位置から、スコア線が等距離に配置されるように、位置合わせされる。例えば、エンボス加工された中芯１３０の上側頂点部が互いに５ｍｍ程度間隔をあけている場合、スコア線１１５も互いに５ｍｍ程度間隔をあけるが、同時に２．５ｍｍ程度オフセットされる。すなわち、５ｍｍ程度に間隔をあけている上側頂点部のすべての対に対し、貼り付けられた対向面１１０は、上側頂点部の各対の間の中間地点に互いから約２．５ｍｍの地点にあるスコア線１１５を特徴とする。
【００３５】
直線状のフルートを有する中芯に貼り付けられた対向面に精密に配置されたスコア線を使用し、精密な屈折線を誘導することができる。すなわち、ボード製品３００を折り畳むとすれば、スコアが入れられた対向面は１つ以上のスコア線に沿って精密な方式で折り畳まれるだろう。すなわち、折り畳み部は、屈折するスコア線に垂直である単一平面内に精密に位置する。このような折り畳み部は、精密であり得て、屈折方向がスコア線の平面に対し、垂直線から外れることを防止する役割を行う。他の実施形態（図示せず）においては、下側（ｂｏｔｔｏｍ−ｓｉｄｅ）の対向面１４０は、さらに、エンボス加工された中芯１３０の下側の頂点部と精密に整列させた類似するパターンのスコア線で事前にスコアを形成されていてもよい。さらに、任意の対向面のプレスコア線は、対向面のすべての領域のより少ない領域を有効範囲としていてもよい（ｃｏｖｅｒ、カバーしてもよい）（例えば、プレスコア線は予想される屈折点のスコア線のみである）。
【００３６】
３つの層すべてが組み立てられて貼り付けられると、得られたボード製品３００は、いくつかの要因のため、従来のボード製品よりも優れている。第１のに、エンボス加工された中芯１３０のフルートは、プレスコアが入れられた対向面１１０のスコア線に対し、戦略的に位置合わせされるため、ボード製品の任意の屈折が精密に完成され、ボックス容器の精密性をもたらす。このような精密性は、ギャップ変動およびフィッシュテール現象を防止する。さらに、直線状のエンボス加工された中芯１３０は、各フルートが三角形の特性である脚部構造による優れた強度を示す、フルート輪郭を含む。さらに、接着剤は、平坦な受取領域を有さない正弦波状頂点部の場合のように接着剤の一部が脚部にスピルオーバしないため、より精密に予測可能で繰返し可能な方式で各頂点部に連続的且つ均一的に塗布されてもよい。最後に、プレスコアが形成された対向面１１０は、従来のボードスコア加工技術が使用される場合、下部層（例えば、エンボス加工された中芯１３０）の損傷をもたらすボード組み立て後のスコア形成段階を有することを防止する。
【００３７】
図６Ａ〜図６Ｃは、本明細書に開示される主題の実施形態による１つ以上の対向面におけるスコア線の利点を有し、屈折される図５のボード製品３００の一連の図である。図６Ａにおいて、ボード製品３００は、ボード製品３００が屈折されるときに何が起こるかをよりよく説明するために縁視図から示されている。図示されたように、ボード製品３００は、第１の対向面１１０、第２の対向面１４０および中芯１３０を含む。中芯１３０は、第１の対向面１１０と第２の対向面１４０との間に配置される。第１の対向面は、スコア線１１５をさらに含んでもよい。図６Ａのこのような例示図においては、第１の対向面１１０は、単に説明のために下向に示す。さらに、第２の対向面１４０上のスコア線を含む中芯１３０のフルートに整合するより多くのスコアラインが存在し得るため、図示を容易にするために２つのスコア線１１５のみが示されている。さらに、正弦波状フルート輪郭を有する中芯１３０が示されるが、任意の形状のフルート輪郭が使用されてもよいことが理解される。
【００３８】
次に、図６Ｂの図において、ボード製品３００は、屈折を開始する。ここで、折り目線は、対向面１１０でスコア線１１５に精密に従うだろう。したがって、第１の折り点６０３は、第１のスコア線１１５に対応し、第２の地点６０４は、第２のスコア線に対応する。図６Ｂに示されているように、最終的な１８０度屈折をもたらす屈折は、各々約９０度の２つの異なる折り畳み部を含むであろう。さらに、第１の折り点６０３は、中芯１３０の２つの頂点部（下の方向対向面フルート、すなわち、第１の対向面１１０に貼り付けられた２つの頂点部）の間に直接配置され、このフルートの脚部を互いに向けて動き始める。その結果、第２の対向面１４０の第１のストレッチ点６０１は、第１の折り点６０３の真上に形成され始める。同様に、第２の折り点６０４は、中芯１３０の２つの頂点部（下の方向対向面フルート、すなわち、第１の対向面１１０に取り付けられた２つの頂点部）の間に向けて動き始める。その結果、第２の対向面１４０の第２のストレッチ点６０２は、第２の折り点６０４の真上に形成され始める。
【００３９】
図６Ｃにおいて、ボード製品３００は、１８０度位置で完全に屈折していることが示されている。したがって、第１のストレッチ点６０１および第２のストレッチ点６０２は、各々約９０度である。ストレッチ点が１８０度完全に折り畳まれた図１Ａ〜図１Ｂに示す従来の例とは異なり、この実施形態は、任意の与えられた位置で伸張を起こす約９０度の折り畳み部のみを有する完全な１８０度のボード製品の屈折を達成する。任意の与えられた地点において、単に９０度のストレッチを有する完全な１８０度の屈折を有すると、対向面１４０の基本的な繊維に対するストレッチ点における応力を小さくする。これはまた、対向面１４０に対するストレッチ損傷が少なく、中芯１３０でフルート構造の損失がないため、ボックスおよび容器のコーナーでより大きな強度を誘導する。
【００４０】
さらに、折り点６０３および６０４は、各々のフルートで広幅に折り畳まれて二次フルートが形成され、ライナー１１０から追加的なコーナー構造を提供する。すなわち、第１の折り点６０３において、第１の二次折りフルート６１０は、第１の一次折りフルート６０５の内側にある対向面１１０から形成される。同様に、第２の二次折りフルート６１１は第２の一次折りフルート６０６の内側にある対向面１１０から形成される。二次フルート６１０および６１１は、ボックスおよび容器に追加のコーナー強度を提供する。
【００４１】
図７は、図５の屈折の従来のボード製品１００と屈折ボード製品３００との並列比較を示す。図示されているように、従来のボード１００は、１８０度屈折点においておよびその付近において中芯構造の歪みを示す。ここでは、折り点が中芯中の各フルートと位置合わせされていないため、下層フルートが損傷されている。このコーナーにおいては、折り畳み予測可能性が明確に低いだろう。これとは異なり、精密に配置されたスコア線を有するボード製品の実施形態は、図６と関連して上述したような追加の二次フルートを示す。ボード製品３００のこのような屈折点は、従来の例１００に比べて優れた強度を有するだろう。
【００４２】
図８Ａ〜図８Ｂは、本明細書に開示される主題の一実施形態による１つ以上の対向面において、１つのスコア線の利点を有する屈折前後のボード製品を示す。図８Ａにおいて、ボード製品８００は、ボード製品８００が屈折されるときに何が起こるかをよりよく説明するために縁視図で示されている。図示のように、ボード製品８００は、第１の対向面８１０、第２の対向面８４０および中芯８３０を含む。中芯８３０は、第１の対向面８１０と第２の対向面８４０との間に配置される。第１の対向面は、１つのスコア線８１５をさらに含んでもよい。図８Ａのこのような例示図においては、第１の対向面８１０は、単に説明のために下向に示す。さらに、中芯８３０内のフルートの頂点部の下に精密に配置される１つのスコア線８１５のみが示されている。さらに、中芯８３０が正弦波状のフルート輪郭を有すると示されているが、任意の形状のフルート輪郭が使用されてよく、中芯８３０がエンボス加工または波形加工（ｃｏｒｒｕｇａｔｅｄ、段加工）されてよいことと理解される。
【００４３】
次いで、図８Ｂにおいて、ボード製品３００は、屈折を開始した。ここで、折り目線は、対向面８１０でスコア線８１５を精密に従うだろう。したがって、第１の折り点８０４は、第１のスコア線８１５に対応する。図８Ｂに図されているように、屈折は、下層フルートに損傷を与えず、最終的に約９０度屈折をもたらすだろう。さらに、折り点８０４は、中芯８３０の２つの頂点部（下の方向対向面フルート、すなわち、第１の対向面８１０に取り付けられた２つの頂点部）の間で直接配置され、このフルートの脚部が互いに向けて動き始める。その結果、第２の対向面８４０のストレッチ点８０５は、折り点８０４の真上に形成され始める。精密に配置されたスコア線８１５を使用すると、中芯８３０のフルートに望ましくない損傷を与えず、９０度折り畳みが実現され得る。ボード製品の様々な実施形態の追加的な態様は、図９の装置に関連し、次に説明する。
【００４４】
図９は、本明細書に開示される主題の実施形態による図５のボード製品３００を製造するために構成された装置５００の態様図である。装置５００は、図８Ａのボード製品８００の実施形態を含む他の実施形態もさらに生成してもよい。上記の装置５００は、ボード製品を製造するために使用される紙の４つの供給ロール５１０、５３０および５４０を含む。これらの供給ロールは、第１の対向面供給ロール５１０、エンボス加工された中芯供給ロール５３０および第２の対向面供給ロール５４０を含む。第１の対向面供給ロール５１０に巻き付けられた紙は、スコア加工する前であり、エンボス加工された中芯供給ロール５３０に巻き付けられた紙は、エンボス加工前であることに留意されたい。各々の供給ロールに対する紙の重量および組成は、異なることがあり、各々の目的のために特別に設計されていてもよい。
【００４５】
各々のロールからの紙は、各々のロールから巻き戻されてもよく、様々な紙の層をともに組み合わせて最終ボード製品を形成するように構成されたコンバイナ５５０（ｃｏｍｂｉｎｅｒ、結合器）に向けて供給されてもよい。コンバイナ５５０に入る前に、供給ロールからの紙の少なくともいくつかを、紙をスコア加工する１つ以上のステージに通過させることができる。したがって、第１の対向面供給ロール５１０は、刻印で紙に対して精密にスコアを形成するスコア加工ステージ５９０に紙を供給することができる。他の実施形態において、対向面１１０に刻印されたラインは、穿孔、間欠的切断または精密な線に沿って対向面１１０を局部的に弱化させる一部の異なる形態であってもよい。紙がスコア加工ステージ５９０を抜け出ると、図３と関連して、上述したようなスコアが入れられた対向面１１０となる。次いで、スコアが入れられた対向面１１０は、他の材料と組み合わされるようにコンバイナ５５０に供給される。
【００４６】
コンバイナ５５０に入る前に、供給ロールからの紙の少なくともいくつかを、紙を中芯に形成するための１つ以上のステージを通過することができる。本明細書および業界で使用されているように、中芯は、フルートを有する紙に形成された紙製品を指すことができる。したがって、上記のエンボス加工された中芯供給ロール５３０は、互いに対して位置合わせされた第１のおよび第２のエンボス加工用ロール５３１ａおよび５３１ｂに紙を供給してもよい。上記の紙がエンボス加工ステージ（例えば、エンボス加工用ロール５３１ａおよび５３１ｂ）を抜け出るにつれ、紙は、図４に関連して上述したようにエンボス加工された中芯１３０となる。次に、エンボス加工された中芯１３０は、他の材料と組み合わされるようにコンバイナ５５０に供給される。
【００４７】
エンボス加工用ロール５３１ａおよび５３１ｂを通過すると、エンボス加工された中芯１３０は新たに形成された頂点部に接着剤を塗布するため塗布機５７０に渡されてもよい。塗布機は、各頂点部の位置を識別した後、一連の接着剤ディスペンサを識別された頂点部と位置合わせさせる装置を含んでもよい。他の実施形態においては、接着剤は、粘着フィルムと接触してフルート先端に接着するロールらまたは粘着ロールとともにフルート先端に伝えることができる。このようにして、接着剤は、連続的且つ均一な方法で式で精密に塗布されてもよい。次いで、接着、硬化、湿潤、乾燥、加熱および化学処理などの様々な技術を使用してコンバイナ５５０で第１の対向面１１０、エンボス加工された中芯１３０および第２の対向面１４０を組み合わせる。得られたボード製品３００は、少なくとも１つの直線状のエンボス加工された中芯１３０と精密に位置合わせされている少なくとも１つのスコアが入れられた対向面を特徴とし、ここでボード製品は、精密に屈折されてもよい。
【００４８】
本明細書で説明した発明主題は、種々の改良および代替的構造が可能であるが、そのいくつかの例示実施形態が図面に示され、上記に詳細に説明されている。しかしながら、特許請求の範囲を開示された特定の形態に限定する意図はなく、これとは逆に、本発明は特許請求の範囲の精神および範囲内に属するすべての改良、代替構成および等価物を包含するものである。
【図１Ａ】
2019514725.tif 000003
【図１Ｂ】
2019514725.tif 000004
【図２Ａ】
2019514725.tif 000005
【図２Ｂ】
2019514725.tif 000006
【図２Ｃ】
2019514725.tif 000007
【図３】
2019514725.tif 000008
【図４】
2019514725.tif 000009
【図５】
2019514725.tif 000010
【図６Ａ】
2019514725.tif 000011
【図６Ｂ】
2019514725.tif 000012
【図６Ｃ】
2019514725.tif 000013
【図７】
2019514725.tif 000014
【図８Ａ】
2019514725.tif 000015
【図８Ｂ】
2019514725.tif 000016
【図９】
2019514725.tif 000017
【国際調査報告】
2019514725.tif 000018